(57)【要約】【課題】信頼性が高くかつ安価な回路構成にてファンモータを停止させることができる空気調和機を得る。【解決手段】ファンを駆動するファンモータ４と、ファンモータ４の駆動を制御するファンモータの制御用ＩＣ６と、このファンモータ４の制御ＩＣ６に対する速度指令を行う速度指令回路１０と、この速度指令回路１０を制御するマイコン７と、掃除するために脱着可能なお掃除機構と、このお掃除機構の脱着によりＯＮ／ＯＦＦすることにより、速度指令回路１０への電圧供給をＯＮ／ＯＦＦするお掃除検出スイッチ９と、を備え、お掃除機構の取り外しによりファンモータ４が停止し、取り付けにより駆動可能な状態にする。【選択図】  図１
2006118741.tif 000002
【特許請求の範囲】
【請求項１】
ファンを駆動するファンモータと、
前記ファンモータの駆動を制御するファンモータ制御手段と、
このファンモータ制御手段に対する速度指令を行う速度指令回路と、
この速度指令回路を制御する制御手段と、
掃除するために脱着可能な構成部品と、
この構成部品の脱着によりＯＮ／ＯＦＦすることにより、前記速度指令回路への電圧供給をＯＮ／ＯＦＦするお掃除検出スイッチと、
を備え、
前記構成部品の取り外しにより前記ファンモータが停止し、取り付けにより駆動可能な状態になることを特徴とする空気調和機。
【請求項２】
前記ファンモータ御手段への電圧供給をＯＮ／ＯＦＦする通電スイッチを備え、
前記制御手段は、前記お掃除検出スイッチのＯＮ／ＯＦＦに基づいて前記通電スイッチをＯＮ／ＯＦＦさせることを特徴とする請求項１記載の空気調和機。
【請求項３】
表示装置を備え、
前記制御手段は、前記お掃除検出スイッチのＯＮ／ＯＦＦに基づいて、前記表示装置に前記構成部品の取り外し状態を表示することを特徴とする請求項１または２記載の空気調和機。
【発明の詳細な説明】
【技術分野】
【０００１】
この発明は、空気調和機に係り、特に掃除するために脱着可能な構成部品とその構成部品の脱着状態が検出可能なお掃除機能が付加された空気調和機に関するものである。
【背景技術】
【０００２】
従来の空気調和機は、吹出し口に吹出す空気の流れ方向を変更する風向板等を組み込んで一体に纏めた吹出しユニットを設け、上下方向に回転可能に軸支して、貫流ファンを筐体本体側に残した状態で吹出しユニットを下方に回転して開放することができるとともに、吹出しユニットの開放を制動をかけながらできるようなヒンジを設けている。そして、吹き出しユニットを掃除のために開放するとき、ファンモータの母線電圧とマイコンへの給電を遮断し、ファンモータを停止させている（例えば、特許文献１参照）。
【０００３】
また、従来の空気調和機は、脱着可能部品の脱着状態を検知する脱着状態検知部として低電圧回路を用い、前記脱着状態検知部の情報に基づいてマイコンによって制御される複数の回転駆動部を備えた構成とし、マイコン経由で速度指令を停止しているものもある（例えば、特許文献２参照）。
【０００４】
【特許文献１】特開２００３−９７８１９号公報（段落番号００２４〜００７２、図１〜８）
【特許文献２】特開２００２−７１１９４号公報（段落番号００２３〜００３５、図１〜１０）
【発明の開示】
【発明が解決しようとする課題】
【０００５】
上記のように、特許文献１に示された従来の空気調和機器では、ファンモータの母線電圧と制御回路（マイコン基板）への給電をカットするため、電流容量の大きな（高価な）スイッチを使用せざるを得ないという問題と制御回路への給電をカットするため、空気調和機を掃除するために着脱や移動が可能な構成部品（以降、お掃除機構と称す）が正しくセットされていない場合にその旨を示す表示ができない等の問題があった。
【０００６】
また、特許文献２に示された従来の空気調和機器では、マイコンを介して制御をかけないとファンモータを停止させることができないため、マイコンに不具合が生じたときに、ファンモータ等を停止させることができない恐れがあり、信頼性が低いという問題があった。
【０００７】
この発明は、上記のよう課題を解決するためになされたもので、第１の目的は、空気調和機を掃除するときに、信頼性が高く、かつ、安価な回路構成にてファンモータを停止させることができる空気調和機を得るものである。
【０００８】
また、第２の目的はお掃除機構の取り外し及びセットが正しくされているかどうかを表示することができる空気調和機を得るものである。
【課題を解決するための手段】
【０００９】
この発明に係る空気調和機は、ファンを駆動するファンモータと、前記ファンモータの駆動を制御するファンモータ制御手段と、このファンモータ制御手段に対する速度指令を行う速度指令回路と、この速度指令回路を制御する制御手段と、掃除するために脱着可能な構成部品と、この構成部品の脱着によりＯＮ／ＯＦＦすることにより、前記速度指令回路への電圧供給をＯＮ／ＯＦＦするお掃除検出スイッチと、を備え、前記構成部品の取り外しにより前記ファンモータが停止し、取り付けにより駆動可能な状態になるものである。
【発明の効果】
【００１０】
この発明の空気調和機は、掃除するために脱着可能な構成部品と、この構成部品の脱着によりＯＮ／ＯＦＦすることにより、前記速度指令回路への電圧供給をＯＮ／ＯＦＦするお掃除検出スイッチと、を備え、前記構成部品の取り外しにより前記ファンモータが停止し、取り付けにより駆動可能な状態となるので、空気調和機を掃除するときに、信頼性が高く、安価、かつ、簡易な構成にてファンモータを停止することができる。
【発明を実施するための最良の形態】
【００１１】
図１はこの発明の実施の形態における空気調和機の回路構成概略図を示すものである。
図において、空気調和機の回路は、交流電源１を整流平滑回路２にて整流平滑し生成した高圧ＤＣ電源３と、この高圧ＤＣ電源３からの出力をＤＣファンモータ４内のファンモータ制御手段である制御ＩＣ６の駆動電圧Ａと、マイコン７の駆動電圧ＢとするＤＣ／ＤＣ電源回路５が設けられている。
そして、速度指令回路１０のマイコン側電源はマイコン７の駆動電圧Ｂと同じであり、ファンモータ側電源は、制御ＩＣ６の駆動電源Ａと同じである。
また、制御手段であるマイコン７と、マイコン７からの速度指令によりＤＣファンモータ４内の制御ＩＣ６へ速度指令電圧を出力する速度指令回路１０と、制御ＩＣ６への駆動電圧Ａの供給をマイコン７からの指令によりＯＮ／ＯＦＦする通電スイッチ８とが設けられている。
また、空気調和機には、掃除するために脱着可能な構成部品であるお掃除機構（図示せず）が設けられている。これは、例えば、風向板等を組み込んで一体とし吹出し口に設けられれた吹出しユニット等である。
【００１２】
速度指令回路１０は、お掃除機構の脱着によりＯＮ／ＯＦＦすることにより、ＤＣ／ＤＣ電源回路５からの駆動電圧ＢをＯＮ／ＯＦＦするお掃除検出スイッチ９と、このお掃除検出スイッチ９と駆動電圧Ｂに対するＧＮＤ間に接続され、マイコン７からの速度指令信号によりＯＮ／ＯＦＦするトランジスタ１１と、トランジスタ１１のＯＮ／ＯＦＦによる速度指令信号により導通するフォトカプラ１２と、フォトカプラ１２の２次側と駆動電圧Ａに対するＧＮＤ間に接続された抵抗１４と、抵抗１４に並列接続され、フォトカプラ１２の導通により速度指令電圧Ｃを作る電解コンデンサ１３とから構成される。なお、お掃除検出スイッチ９はファンに触れてしまう状態にあることが検知できるように、吹き出しユニットやその他のお掃除機構等に設けられ、かつ、速度指令回路１０のマイコン７側の電圧給電ライン上に設けられている。
【００１３】
また、お掃除検出スイッチ９のＯＮ／ＯＦＦをマイコン７が検知することにより、お掃除機構が取り外し状態かどうかを表示する表示装置１５が設けられている。
【００１４】
次に、この発明の実施の形態の動作を図１、図２により説明する。図２はこの発明の実施の形態を示す空気調和機の動作を示すフローチャートである。
まず、通電されると、交流電源１は整流平滑回路２で整流平滑され、高圧ＤＣ電源３で高圧ＤＣとなり、ＤＣファンモータ４の駆動電源（母線電圧）となる。また、ＤＣ／ＤＣ電源回路５によりＤＣファンモータ４の制御ＩＣ６の駆動電圧Ａと、マイコン７の駆動電圧Ｂ及び速度指令回路１０の駆動電圧Ｂが生成される。そして、制御ＩＣ６の駆動電圧Ａは、マイコン７からの指令により通電スイッチ８がＯＮ／ＯＦＦすることにより制御ＩＣ６への通電がコントロールされる。
【００１５】
お掃除検出スイッチ９の開閉状態（Ｓｌ）をマイコン７が検知し、ＯＮ状態であれば運転許可（Ｓ２）とし、ＯＦＦ状態であれば運転禁止（Ｓ３）とする。お掃除検出スイッチ９は速度指令回路１０の電圧供給の役目も兼ねているのでスイッチの状態により速度指令回路への通電がＯＮ／ＯＦＦされる。
運転禁止状態においてリモコン等により運転の指令があった場合（Ｓ４）にはお掃除機
構が正しくセットされていないため運転禁止である旨の表示をする（Ｓ５）ことでユーザ
ーに正しいお掃除機構のセットを促すことができる。
また、運転指令がない場合（Ｓ４）においてもお掃除機構が正しくセットされていない
ために運転禁止である旨の表示をすることが可能であり（Ｓ６）、表示をすることによりいち早くお掃除機構を正しくセットしてもらうことが期待できる。
【００１６】
運転許可状態において運転指令がない場合（Ｓ７）、お掃除機構が正しくセットされ、運転可能である旨の表示をすることが可能である（Ｓ８）。
運転可能状態において運転指令があった場合（Ｓ７）、マイコンが通電スイッチ８へＯＮ信号を出力する（Ｓ９）。これにより通電スイッチ８がＯＮし（Ｓｌ０）、ＤＣ／ＤＣ電源回路５から制御ＩＣ６へ駆動電圧Ａが通電され（Ｓ１１）、制御ＩＣ６は機能する。また、この駆動電圧Ａは速度指令回路２次側の電源電圧でもあるため、同時に通電される（Ｓ１２）。
お掃除検出スイッチがＯＮ状態にあるため、マイコン７からの速度指令が速度指令回路１０によりＤＣファンモータ４内の制御ＩＣ６へ速度指令が速度指令電圧Ｃという形で伝
達される（Ｓ１３）。具体的にはマイコン７からの速度指令信号がトランジスタ１１をＯＮ／ＯＦＦさせ、フォトカプラ１２を導通させ、電解コンデンサ１３が充電することで速度指令電圧Ｃが作られる。この速度指令電圧ＣがＤＣファンモータ４内の制御ＩＣ６に伝えられ、ＤＣファンモータ４が駆動する（Ｓ１４）。お掃除検出スイッチ９がＯＮであれば（Ｓ１５）速度指令回路１０は機能しつづけ、ＤＣファンモータ４は運転を続ける。
【００１７】
運転中においてお掃除機構を外した場合、お掃除検出スイッチ９がＯＦＦ（Ｓ１５）となり、速度指令回路１０への電圧供給が遮断される（Ｓ１６）ため、速度指令回路１０が機能しなくなり、速度指令電圧Ｃは低下し（Ｓ１７）、ＤＣファンモータ４は停止する（Ｓ１８）。更にお掃除検出スイッチ９がＯＦＦになったことをマイコン７が検出し（Ｓ１９）、通電スイッチ８に対してマイコン７からＯＦＦ信号を送り（Ｓ２０）、通電スイッチ８をＯＦＦ（Ｓ２１）させることで制御ＩＣ６の駆動電圧Ａの給電をカットする（Ｓ２２）。同時に速度指令回路１０の２次側電源が断たれる（Ｓ２３）ので速度指令電圧Ｃは低下し（Ｓ１７）、ＤＣファンモータ４は停止する（Ｓ１８）。これにより、万が一フォトカプラ１２がショート破壊を起こしていたとしても速度指令回路の２次側の電源も断たれるため、速度指令電圧Ｃは低下し、ＤＣファンモータ４を確実に停止させることができる。
更に、制御ＩＣ６への電源供給もカットされる（Ｓ２２）ため、制御ＩＣ６が機能しなくなりＤＣファンモータは停止する（Ｓ１８）。お掃除検出スイッチ９がＯＦＦの状態であることをマイコン７が検出（Ｓ１９）しているので、お掃除機構が正しくセットされていないため運転禁止である旨の表示をする（Ｓ２４）ことでＤＣファンモータを停止させたことを表示することができる。
【００１８】
なお、ＤＣファンモータ４を停止させるためにはＤＣファンモータ４の駆動電圧カット、制御ＩＣ電源のカット及び速度指令回路１０のカットの３手法があるが、ＤＣファンモータ４の駆動電圧をカットするには高圧であるため、高価なリレーや半導体素子を用いる必要がある。
また、制御ＩＣ６の電源は、通常、ＤＣファンモータ４の要求仕様によりＤＣファンモータ４の駆動電圧や速度指令よりも先に電圧カットすることは許されていない。
本実施の形態のように、速度指令回路１０をカットするならば低圧回路であるため安価に構成可能である。
また、速度指令の大本であるマイコン７への供給電圧をカットしてしまうと、お掃除検出スイッチ９のＯＮ／ＯＦＦ状態を認識することができなくなり、お掃除機構のセットが不十分であるといった状態を表示することができないが、速度指令回路１０への供給電圧をカットする本方式であればそれも可能である。
【００１９】
以上のように、お掃除機構の脱着によりＯＮ／ＯＦＦすることにより、ＤＣ／ＤＣ電源回路５から速度指令回路１０への電圧供給をＯＮ／ＯＦＦするお掃除検出スイッチ９を備え、お掃除機構の取り外しによりＤＣファンモータ４が停止し、取り付けにより駆動可能な状態にするようにしたので、お掃除検出スイッチ９は、低圧回路をカットするので高価なリレーや半導体素子を用いる必要がなく安価な回路構成とすることができる。
【００２０】
更に、マイコン７側の電圧供給である駆動電圧Ｂをカットすることでマイコン７に信号を取り込む際、アイソレートする必要がなくなり回路構成の簡略化が図れる。
【００２１】
また、速度指令回路１０の駆動電圧Ｂと制御ＩＣ６の駆動電圧Ａの２経路にてＤＣファンモータ４を停止させるので信頼性が高い。
【００２２】
更に、マイコン７は、お掃除検出スイッチ９のＯＮ／ＯＦＦに基づいて、表示装置１５にお掃除機構の取り外し状態を表示するので、お掃除検出スイッチ９がどういう状態にあるのか、すなわち、お掃除機構が運転可能状態にあるのか、お掃除機構のセットが不十分かといった情報をユーザーに伝えることができる。
なお、本実施の形態では、制御ＩＣ６をＤＣファンモータ４の内部に設けた例を示したが外部に設けてもよい。
【図面の簡単な説明】
【００２３】
【図１】この発明の実施の形態における空気調和機の回路構成概略図である。
【図２】この発明の実施の形態における空気調和機の動作を示すフローチャートである。
【符号の説明】
【００２４】
４  ＤＣファンモータ、６  制御ＩＣ、７  マイコン、８  通電スイッチ、９  お掃除検出スイッチ、１０  速度指令回路、１５  表示装置。
【図１】
2006118741.tif 000003
【図２】
2006118741.tif 000004